(57)【要約】コンテンツを同期再生する際のミキシング情報が記録された多重記録媒体と多重記録再生装置を提供する。記録媒体を再生装置にセットするだけで、最適な設定が自動的に再現される。また、再生装置を変えても、ミキシング情報は媒体に記録されているため、再設定の必要がなく、簡単に同期再生を楽しむことが可能である。また、多重記録再生装置を使用し、同期再生中にミキシング条件を変更することも、変更後のミキシング条件を新たなミキシング情報としてＲＡＭ部に記録することも可能になる。これにより、一部の専門家に限られていたバーチャルセッション機能と多重録音機能とを手軽に安価に実現することが可能となる。
2004051657.tif 000002
【特許請求の範囲】
【請求項１】
光反射率を利用した位相ピットで情報が記録されたＲＯＭ部と、光により記録及び再生可能なＲＡＭ部とが層状に配置された円盤状の多重記録媒体において、
第１のコンテンツを備えた第１の領域と、
第２のコンテンツを備えた第２の領域と、
前記第１及び前記第２のコンテンツを同期合成して再生する際に使用されるミキシング情報を備えた第３の領域とを有することを特徴とする多重記録媒体。
【請求項２】
請求の範囲１において、
前記第１の領域は、前記ＲＯＭ部に形成され、
前記第２及び前記第３の領域は、前記ＲＡＭ部に形成され、
前記ＲＯＭ部及び前記ＲＡＭ部が重畳配置されることを特徴とする多重記録媒体。
【請求項３】
請求の範囲１において、
前記第１及び前記第２の領域は、読み出しのみ可能な前記ＲＯＭ部に形成され、
前記第３の領域は、追記書き換え可能な前記ＲＡＭ部に形成され、
前記ＲＯＭ部及び前記ＲＡＭ部が重畳配置されることを特徴とする多重記録媒体。
【請求項４】
光反射率を利用した位相ピットで情報が記録されたＲＯＭ部と、光により記録及び再生可能なＲＡＭ部とが半径方向で異なる位置にまたは円周方向で異なる位置に配置された円盤状の多重記録媒体において、
第１のコンテンツを備えた第１の領域が前記ＲＯＭ部に形成され、
第２のコンテンツを備えた第２の領域と、前記第１および前記第２のコンテンツを同期合成して再生する際に使用されるミキシング情報を備えた第３の領域とが前記ＲＡＭ部に形成されることを特徴とする多重記録媒体。
【請求項５】
請求の範囲２から請求の範囲４のいずれかにおいて、
前記ＲＡＭ部は、光磁気記録膜で形成されることを特徴とする多重記録媒体。
【請求項６】
請求の範囲１から請求の範囲４のいずれかにおいて、
前記ミキシング情報は、前記第１及び前記第２のコンテンツの出力レベル比情報又は前記第１及び前記第２のコンテンツの波形特性情報を有することを特徴とする多重記録媒体。
【請求項７】
請求の範囲６において、
前記ミキシング情報は、更に、前記出力レベル比又は前記波形特性を同期再生中に変更するタイミング情報を有することを特徴とする多重記録媒体。
【請求項８】
光反射率を利用した位相ピットにより記録された第１のコンテンツを備えた読み出しのみ可能なＲＯＭ部と第２のコンテンツ及びミキシング情報を備えた追記書き換え可能なＲＡＭ部を有する多重記録媒体に光を照射し、前記ＲＯＭ部と前記ＲＡＭ部の情報を分離して検出する光ピックアップと、
前記照射光と共に、前記ＲＡＭ部に情報を記録するための磁気ヘッドと、
前記ミキシング情報に従って前記第１及び前記第２のコンテンツを同期合成して再生信号を生成するコントローラを有することを特徴とする記憶装置。
【請求項９】
請求の範囲８において、
前記コントローラは、更に、ミキシング情報を入力するミキシング条件入力部を有し、
前記第１及び前記第２のコンテンツを同期再生中に入力されたミキシング情報が前記ＲＡＭ部に記録されることを特徴とする記憶装置。
【請求項１０】
請求の範囲８において、
前記コントローラは、更に、ミキシング情報を入力するミキシング条件入力部を有し、
前記第１及び前記第２のコンテンツを同期再生中に入力されたミキシング情報に従って前記第１及び前記第２のコンテンツの再生状態を変更することを特徴とする記憶装置。
【請求項１１】
請求の範囲８から請求の範囲１０のいずれかにおいて、
前記ミキシング情報は、前記第１及び前記第２のコンテンツの出力レベル比情報または前記第１及び前記第２のコンテンツの波形特性情報を有することを特徴とする記憶装置。
【請求項１２】
請求の範囲１１において、
前記ミキシング情報は、更に、前記出力レベル比又は前記波形特性を同期再生中に変更するタイミング情報を有することを特徴とする記憶装置。
【請求項１３】
請求の範囲１２において、
前記コントローラは、前記タイミング情報を基に前記第１及び前記第２の出力レベル比または波形特性を同期再生中に変更することを特徴とする記憶装置。
【請求項１４】
光反射率を利用した位相ピットにより記録された第１のコンテンツを備えた読み出しのみ可能なＲＯＭ部と第２のコンテンツ及びミキシング情報を備えた追記書き換え可能なＲＡＭ部を有する多重記録媒体に光を照射し、前記ＲＯＭ部と前記ＲＡＭ部の情報を検出する光ピックアップと、
前記光ピックアップにより検出される前記第１及び前記第２のコンテンツを一時的に格納するバッファメモリと、
前記照射光と共に、前記ＲＡＭ部に情報を記録するための磁気ヘッドと、
前記ミキシング情報に従って前記バッファメモリに格納された前記第１及び前記第２のコンテンツを同期合成して再生信号を生成するコントローラを有することを特徴とする記憶装置。
【発明の詳細な説明】
【技術分野】  本発明は、媒体上に記録された複数コンテンツを同期合成し再生する記憶装置および使用される記録媒体に関し、特に、記録されたミキシング情報に従って複数コンテンツを同期再生するための記憶装置および記録媒体に関する。
【背景技術】  予め音楽コンテンツがＲＯＭ（Ｒｅａｄ  Ｏｎｌｙ  Ｍｅｍｏｒｙ）として記録されたＣＤ（Ｃｏｍｐａｃｔ  Ｄｉｓｃ）等を再生して、または光磁気媒体を使用したＭＤ（Ｍｉｎｉ  Ｄｉｓｋ）等にＣＤ等の音源を録音し、ＭＤシステム等にて再生して音楽を聴くという楽しみ方の他に、自分で楽器を演奏し、それを録音・再生するという楽しみ方がある。
楽器の演奏を録音して再生する手法の一つに多重録音がある。多重録音では、複数の録音トラックを持つ記録媒体のトラック毎に別々の音楽を記録する。つまり一つ目のトラックに予め音楽を録音しておき、その音を再生して聞きながら、別のトラックに音を重ねて記録する。例えば、はじめにピアノを録音し、次にそのピアノの音を聞きながらギターを録音することにより、ピアノとギターが同時再生可能となる。このように複数トラックの音楽を再生しながら記録する、あるいは複数トラックの音楽を同時再生するためには、高速、大容量な記憶装置が必要であり、主にハードディスクが用いられる。
しかしながら、ハードディスクを利用した多重録音システムは、音楽の製作が目的であるため高度な編集が必要とされ、操作が複雑である。よって、ハードディスクを使用した多重録音システムは限られた一部に利用されてはいるが、一般的には普及していない。また、ハードディスクのような磁気記録媒体は、光ディスクの位相ピットのようなＲＯＭ部がないため、予め音楽を記録しておくためには、媒体毎に音楽を磁気的に記録する必要があり製造コストが上昇するという問題もある。
ハードディスクに比べて簡単で扱いやすい媒体としてＭＤ（Ｍｉｎｉ  Ｄｉｓｋ）を使用した多重録音システムも実現されている。ＭＤを使うことで媒体は安価となるが、複数トラックに順番にユーザが音楽を記録しなければならないという点はハードディスクを使用した装置と同じである。出荷時に予め音楽情報を記録するためにはやはりハードディスクの場合と同じように、ＭＤ１枚毎に光磁気記録しなければならず媒体コストが上昇してしまう。また複数トラックに予め記録した分だけ記録容量が低下するという問題もある。よって、従来の記録用ＭＤによる多重録音システムも一部の専門家に使用されてはいるが一般的には普及していない。
以上のように、一部の専門家を除けば、多重録音や多重録音された音楽の同期再生による音楽の楽しみ方は一般にはあまり普及していない。
近年、多重録音、同期再生の機能を安価に実現させる可能性を秘めた方法として、コンカレントＲＯＭ／ＲＡＭ方式やパーシャルＲＯＭ方式が紹介された。例えば、特開平７−６５３７５においては、位相ピットによるＲＯＭ部に予め記録されている音楽あるいは画像情報に同期させて同じ位置に別の音楽あるいは画像情報をＲＡＭ部に記録する方法が提案されている。また、特開平５−１５１７５８、特開平１１−７７２９のようにパーシャルＲＯＭ方式を用いて分割記録された音楽情報を時間的に同期再生する方法も提案されている。
しかし、いずれの提案もコンテンツの時間的な同期に関する方法であり、複数コンテンツを同期再生する（ミキシングする）際の出力レベル比、あるいは波形特性などのミキシング条件の調整については不明である。例えば、音楽コンテンツを多重記録再生する際には、各音楽コンテンツの時間的な同期も必要であるが、それと同時にミキシングする際のミキシング条件の調整も重要である。出力比、あるいは波形調整なしのミキシングでは十分な品質で音楽を聞くことが極めて困難である。
一般に各音楽コンテンツの最適な出力比、あるいは波形調整量は記録時に予測して決定することは困難であり、記録後の再生時に自由に設定できることが好ましい。さらには、曲の途中で出力を変更する必要がある。例えば、予めボーカルと伴奏が記録されたＲＯＭ部を再生しながら、ギター演奏を多重録音する場合、曲の１番と２番の間に間奏部分を挿入することが一般に行われる。この間奏部分にギターのソロを大きな音量で録音し、他の部分にはリズム音を小さな音量で録音するには、曲中任意のタイミングでミキシング条件を変更する必要がある。
これらのミキシング情報は、各音楽コンテンツ固有に設定するものであるから、個々の記録媒体に記録されることが好ましい。また、ユーザの好みに合わせて手軽に設定できるものでなければならない。
また、多重記録に関する別の方法として、特開２００２−１７１４８２では、音声データの出力を予め最適に調整してから多重記録する方法が開示されているが、一旦記録した後は再生装置で音量比を再調整する必要があるため、高品質な音楽再生をどこでも実現させることが困難である。
また、ミキシング条件のうち音量調整に関する方法として、特開２０００−１７３１７１では、各音楽コンテンツ毎の音量レベルをＴＯＣ（Ｔａｂｌｅ  Ｏｆ  Ｃｏｎｔｅｎｔｓ）領域に追記可能とする方法が開示されているが、音量調整が各曲毎のため多重記録された複数の音楽コンテンツを高品質に同期再生することができない。
【発明の開示】
本発明の目的は、これまで一部の専門家に利用が限られていた多重記録機能と多重記録されたコンテンツの同期再生機能とを手軽に安価に実現し、しかも十分な品質でコンテンツを再生するための記憶装置および多重記録媒体を提供することである。
又、本発明の別の目的は、多重記録媒体に記録された複数コンテンツを同期合成し、再生する際のミキシング情報を再生の度に設定することなく再現可能にする多重記録媒体および記憶装置を提供することにある。
又、本発明の別の目的は、複数コンテンツを同期合成し、再生する際にミキシング情報を変更可能な、また、該変更された設定を記録可能な多重記録媒体および記憶装置を提供することにある。
上記目的は、光反射率を利用した位相ピットで情報が記録されたＲＯＭ部と、光により記録及び再生可能なＲＡＭ部とが層状に配置された円盤状の多重情報記録媒体において、第１のコンテンツを備えた第１の領域と、第２のコンテンツを備えた第２の領域と、前記第１及び前記第２のコンテンツを同期合成して再生する際に使用されるミキシング情報を備えた第３の領域とを有することを特徴とする多重記録媒体を提供する第１の態様で達成される。
上記目的は、好ましくは、前記第１の態様において、前記第１の領域は、前記ＲＯＭ部に形成され、前記第２及び前記第３の領域は、前記ＲＡＭ部に形成され、前記ＲＯＭ部及び前記ＲＡＭ部が重畳配置されることを特徴とする多重記録媒体を提供する第２の態様で達成される。
また、上記目的は、好ましくは、前記第１の態様において、前記第１及び前記第２の領域は、読み出しのみ可能な前記ＲＯＭ部に形成され、前記第３の領域は、追記書き換え可能な前記ＲＡＭ部に形成され、前記ＲＯＭ部及び前記ＲＡＭ部が重畳配置されることを特徴とする多重記録媒体を提供する第３の態様で達成される。
また、上記目的は、光反射率を利用した位相ピットで情報が記録されたＲＯＭ部と、光により記録及び再生可能なＲＡＭ部とが半径方向で異なる位置にまたは円周方向で異なる位置に配置された円盤状の多重情報記録媒体において、第１のコンテンツを備えた第１の領域が前記ＲＯＭ部に形成され、第２のコンテンツを備えた第２の領域と、前記第１および前記第２のコンテンツを同期合成して再生する際に使用されるミキシング情報を備えた第３の領域とが前記ＲＡＭ部形成されることを特徴とする多重記録媒体を提供する第４の態様で達成される。
また、上記目的は、好ましくは、前記第２から前記第４の態様のいずれかにおいて、前記ＲＡＭ部は、光磁気記録膜で形成されることを特徴とする多重記録媒体を提供する第５の態様で達成される。
また、上記目的は、好ましくは、前記第１から前記第４の態様のいずれかにおいて、前記ミキシング情報は、前記第１及び前記第２のコンテンツの出力レベル比情報又は前記第１及び前記第２のコンテンツの波形特性情報を有することを特徴とする多重記録媒体を提供する第６の態様で達成される。
また、上記目的は、好ましくは、前記第６の態様において、前記ミキシング情報は、更に、前記出力レベル比又は前記波形特性を同期再生中に変更するタイミング情報を有することを特徴とする多重記録媒体を提供する第７の態様で達成される。
上記目的は、光反射率を利用した位相ピットにより記録された第１のコンテンツを備えた読み出しのみ可能なＲＯＭ部と第２のコンテンツ及びミキシング情報を備えた追記書き換え可能なＲＡＭ部を有する多重記録媒体に光を照射し、前記ＲＯＭ部と前記ＲＡＭ部の情報を分離して検出する光ピックアップと、前記照射光と共に、前記ＲＡＭ部に情報を記録するための磁気ヘッドと、前記ミキシング情報に従って前記第１及び前記第２のコンテンツを同期合成して再生信号を生成するコントローラを有することを特徴とする記憶装置を提供する第８の態様で達成される。
上記目的は、好ましくは、前記第８の態様において、前記コントローラは、更に、ミキシング情報を入力するミキシング条件入力部を有し、前記第１及び前記第２のコンテンツを同期再生中に入力されたミキシング情報が前記ＲＡＭ部に記録されることを特徴とする記憶装置を提供する第９の態様で達成される。
また、上記目的は、好ましくは、前記第８の態様において、前記コントローラは、更に、ミキシング情報を入力するミキシング条件入力部を有し、前記第１及び前記第２のコンテンツを同期再生中に入力されたミキシング情報に従って前記第１及び前記第２のコンテンツの再生状態を変更することを特徴とする記憶装置を提供する第１０の態様で達成される。
また、上記目的は、好ましくは、前記第８から前記第１０の態様のいずれかにおいて、前記ミキシング情報は、前記第１及び前記第２のコンテンツの出力レベル比情報または前記第１及び前記第２のコンテンツの波形特性情報を有することを特徴とする記憶装置を提供する第１１の態様ことで達成される。
また、上記目的は、好ましくは、前記第１１の態様において、前記ミキシング情報は、更に、前記出力レベル比又は前記波形特性を同期再生中に変更するタイミング情報を有することを特徴とする記憶装置を提供する第１２の態様で達成される。
また、上記目的は、好ましくは、前記第１２の態様において、前記コントローラは、前記タイミング情報を基に前記第１及び前記第２の出力レベル比または波形特性を同期再生中に変更することを特徴とする記憶装置を提供する第１３の態様で達成される。
また、上記目的は、光反射率を利用した位相ピットにより記録された第１のコンテンツを備えた読み出しのみ可能なＲＯＭ部と第２のコンテンツ及びミキシング情報を備えた追記書き換え可能なＲＡＭ部を有する多重記録媒体に光を照射し、前記ＲＯＭ部と前記ＲＡＭ部の情報を検出する光ピックアップと、前記光ピックアップにより検出される前記第１及び前記第２のコンテンツを一時的に格納するバッファメモリと、前記照射光と共に、前記ＲＡＭ部に情報を記録するための磁気ヘッドと、前記ミキシング情報に従って前記バッファメモリに格納された前記第１及び前記第２のコンテンツを同期合成して再生信号を生成するコントローラを有することを特徴とする記憶装置を提供する第１４の態様で達成される。
このように、コンテンツを同期再生する際のミキシング情報を媒体上に記録することによって、本発明の多重記録媒体を記憶装置にセットするだけで、最適な設定が自動的に再現される。また、記憶装置を変えても、ミキシング情報は媒体に記録されているため、再設定の必要がなく、簡単に同期再生を楽しむことが可能である。また、本発明の記憶装置を使用し、同期再生中にミキシング条件を変更することも、変更後のミキシング条件を新たなミキシング情報としてＲＡＭ部に記録することも可能になる。これにより、多重記録機能と多重記録されたコンテンツの同期再生機能を手軽に安価に実現することが可能となる。
【図面の簡単な説明】  図１は、本発明の実施の一形態における多重記録再生システムの構成図である。
図２は、コンカレントＲＯＭ／ＲＡＭ媒体の構成例を示す図である。
図３は、コンカレントＲＯＭ／ＲＡＭ媒体におけるＲＯＭ情報およびＲＡＭ情報を示す図である。
図４は、本発明における多重記録媒体の実施の一形態を示す図である。
図５は、ＲＡＭ部のデータ形式の一例を示す図である。
図６は、本発明における多重記録媒体の別の実施の一形態を示す図である。
図７は、ＴＯＣ領域に記録されるのデータ形式の一例を示す図である。
図８は、本発明における多重記録媒体の別の実施の一形態を示す図である。
図９は、本発明における多重記録媒体の別の実施の一形態を示す図である。
図１０は、本発明における多重記録媒体の別の実施の一形態を示す図である。
図１１は、多重記録再生装置の構成例を示す図である。
図１２は、多重記録再生装置の構成例を示すブロック図である。
図１３は、各モードでの信号の検出の組み合わせを示す図である。
図１４は、メインコントローラの実施の一形態を示すブロック図である。
図１５は、メインコントローラの別の実施の一形態を示すブロック図である。
【発明を実施するための最良の形態】  以下、本発明の実施の形態について図面に従って説明する。しかしながら、本発明の技術的範囲はかかる実施の形態によって限定されるものではない。なお、実施の形態においては、音楽コンテンツを例として説明するが、本発明の効果は音楽に限られたものではなく、画像等でも同様の効果が得られる。また、本発明の実施の形態において、本発明の記憶装置の呼称を多重記録再生装置として説明するが、対象とする媒体を多重記録媒体に限定するものではない。
以下、本発明にかかる多重記録媒体の実施形態、多重記録再生装置の実施形態および当該多重記録媒体、当該多重記録再生装置を用いた適用形態の順で説明する。
図１は、本発明の実施の一形態における多重記録再生システムの構成図である。音楽コンテンツの多重記録方法および同期再生方法を例に挙げて本図を説明する。演奏者は、ギター１Ａ、マイク１Ｂ、ピアノ１Ｃなどの入力機器を使用し、演奏を行う。演奏された音は、電気信号に変換され、そして多重記録再生装置２Ａに入力される。多重記録再生装置２Ａは、入力された電気信号をアナログデジタル（Ａ／Ｄ）変換器によりデジタル信号に変換した後、多重記録媒体２Ｂに記録する。
このとき、同じ多重記録媒体２Ｂに、例えば位相ピットとして予め記録された音楽ＲＯＭ情報（音楽コンテンツ）が読み出され、多重記録再生装置２Ａは、演奏された音と、読み出された音楽ＲＯＭ情報を同期合成し、デジタルアナログ（Ｄ／Ａ）変換をした後、スピーカ３Ａなどの出力機器に合成後の電気信号を出力する。こうして、多重録音と同期再生が行われる。
音楽ＲＯＭ情報は、例えば、楽器の演奏パート以外のドラム、ベース、ギター、コーラス、ボーカル等のバンド演奏でも良いし、あるいはオーケストラの演奏でも良い。または、一定の間隔を刻む音でも良い。
いずれにしても、楽器の演奏は、この多重情報記録媒体２ＢのＲＯＭに記録された音楽情報を聞きながら、それに合わせて行う。つまり擬似的に、バンドやオーケストラのメンバーとなるバーチャルセッションが実現される。そして、この音楽ＲＯＭ情報の再生と同時に、楽器の演奏を同じ多重記録媒体２Ｂに記録する。
図１には、多重記録再生装置２Ａへの入力信号として、ギターからの信号１Ｄが描かれているが、マイク、ピアノまたはそれ以外の楽器や音源からの信号でもよく、またそれらの楽器等の信号を合成したものを使用することも可能である。この入力信号１Ｄは、多重記録媒体２Ｂとして、例えば、後述するコンカレントＲＯＭ／ＲＡＭ媒体を使用するのであれば、光磁気記録膜によるＲＡＭ部に記録される。また、後述するパーシャルＲＯＭディスクの場合であれば、ＲＡＭ部に記録される。
図１でのスピーカ３Ａへの出力信号３Ｂは、多重記録媒体２ＢにＲＯＭとして予め記録されている音楽情報の再生信号である。また、多重記録再生装置２Ａに入力される演奏音と合成して、スピーカ３Ａで出力しても構わない。さらに、スピーカ３Ａが多重記録再生装置２Ａに内臓された構成とすることも可能である。図示しないが、出力機器としては、ヘッドフォンを使用することもできる。
ＲＯＭ部には、楽器毎に割り付けられた複数のトラックではなく、オーケストラやバンドの演奏が一括して記録されているために従来のようなマルチトラック記録で要求される複雑な音量、音質調整を必要とせずに簡単に高品質な音楽を聞くことが可能である。もちろんＲＯＭ部にシンプルな単一楽器の演奏を記録しておいても構わない。このようにミキシング情報を媒体に記録することにより再生装置を変えても同じ条件で音楽再生することが可能になる。また、録音時にミキシング条件を最適化する必要がない。
続いて、本発明の多重記録媒体２Ｂについて説明する。
［多重記録媒体］
図２は、コンカレントＲＯＭ／ＲＡＭ媒体の構成例を示す図である。透明基板２６上に保護コート２２、反射層２３、誘電体層２４、光磁気記録層２５が形成される。物理的に書き換え不可能な凹凸位相ピット２１により読み出しのみ可能なＲＯＭ情報が記録され、光磁気記録層２５に追記書き換え可能なＲＡＭ情報が記録される。
図３は、コンカレントＲＯＭ／ＲＡＭ媒体におけるＲＯＭ情報およびＲＡＭ情報を示す図である。図２で説明したように、位相ピット２１には凹凸信号としてＲＯＭ情報３１が記録され、ＲＯＭ情報３１と重畳するように光磁気記録層２５にはＲＡＭ情報３２が記録される。ＲＯＭ情報とＲＡＭ情報が重畳配置されている特長を活かし、両者を同期合成して再生する。本明細書においては、ＲＯＭ情報が記録される部分をＲＯＭ部、ＲＡＭ情報が記録される部分をＲＡＭ部と呼ぶ。
図４は、本発明における多重記録媒体の実施の一形態を示す図である。媒体としてコンカレントＲＯＭ／ＲＡＭ媒体を使用する。領域４１には、ｎ曲目のＲＯＭ情報に対応してＲＡＭ情報が重畳記録され、領域４２には、ｎ＋ｋ曲目のＲＯＭ情報に対応してＲＡＭ情報が重畳記録される。コンカレントＲＯＭ／ＲＡＭ媒体の特長を活かし、ｎ曲目のＲＯＭ情報を再生する際に、対応するＲＡＭ情報を同期再生することが可能である。ｎ＋ｋ曲目も同様に同期再生が可能である。
領域４１のｎ曲目のＲＯＭ情報（第１のコンテンツ）とそれに対応するＲＡＭ情報（第２のコンテンツ）を同期再生する際のミキシング情報が、領域４１のＲＡＭ部に記録される。領域４２に関しても同様にミキシング情報が、領域４２のＲＡＭ領域に記録される。
図５は、図４の実施の形態におけるＲＡＭ部のデータ形式の一例を示す図である。コンテンツ５２の先頭に、ＴＯＣ（Ｔａｂｌｅ  Ｏｆ  Ｃｏｎｔｅｎｔｓ）領域５１が存在する。ＴＯＣ領域５１には、コンテンツ５２の曲名５３Ａ、演奏時間５３Ｂ、コンテンツアドレス５３Ｃ等のＴＯＣ情報５３に加え、ミキシング情報５４として、例えば、同期再生する他のコンテンツ情報５４Ａ、コンテンツを同期再生する際の出力レベル比情報５４Ｂ、波形特性情報５４Ｃ、タイミング情報５４Ｄを含む。
コンテンツアドレス５３Ｃは、コンテンツ５２の開始位置を示す媒体上でのアドレスである。アドレスによってコンテンツが特定される。同期再生する他のコンテンツ情報５４Ａは、図４の領域４１の場合、ＲＡＭ情報（第２のコンテンツ）に対応する第１のコンテンツを識別するための情報である。これは、第１のコンテンツのアドレスでもよいし、コンテンツを番号で識別可能であれば、その番号を記録することもできる。
出力レベル比情報５４Ｂには、同期再生される各コンテンツの出力レベル比が記録される。相対的な比ではなく、絶対的な出力レベルが記録されてもよい。例えば、音量などで出力レベルを判断する。
波形特性情報５４Ｃには、同期再生される各コンテンツの波形特性が記録される。波形特性は、例えば、一定の範囲に区切られた周波数帯毎の強弱を示すものである。または、設定されたモード（例えば、コンサートホールモード、ライブハウスモード、屋外モードなどの音響状態や、ボーカル、クラシック、オペラ、オーケストラなど演奏形態により区分されたモードなど）があれば、それを特定する情報であってもよい。
タイミング情報５４Ｄには、例えば、出力レベル比情報、波形特性情報を適用するタイミングの媒体アドレス情報が記録される。例えば、第２のコンテンツにおいて、指定されたアドレスを再生する場合に、ミキシング条件が適用される。
また、タイミング情報５４Ｄは、時間情報が記録されてもよい。例えば、１分が指定されたら、同期再生開始から最初の１分は、当該出力レベル比情報、波形特性情報を適用する。同期再生中複数のタイミングでミキシング条件を変更する場合、各変更区間ごとの出力レベル比情報５２、波形特性情報５３が複数記録される。
ミキシング情報としては、他に、周波数領域を制御する情報、振幅領域を制御する情報、時間領域を制御する情報などを使用することができる。周波数領域を制御する情報としては例えば、イコライザ（グラフィックイコライザ、パラメトリックイコライザ）情報、フィルタ情報などがある。振幅領域を制御する情報としては例えば、通常のアンプのように入出力振幅特性を１対１の直線関係としないで入力信号の振幅に応じて変更するコンプレッサリミッタ情報、所定のレベル以下の信号をカットするノイズゲート情報、エキスパンダ情報などがある。
時間領域を制御する情報としては例えば、信号を遅らせることにより音に厚みを持たせる等の効果を得るデジタルディレイ情報、コンサートホール等での残響効果を再現するデジタルリバーブ情報がある。従って、例えばイコライザ情報として設定された周波数帯ごとの数値が、ノイズゲート情報として上記所定のレベルが、またデジタルディレイ情報として遅延時間が、ミキシング情報として記録されることもできる。
図３、４、５のように、コンテンツを同期再生する際のミキシング情報を媒体上に記録することによって、本発明の多重記録媒体を再生装置にセットするだけで、最適な設定が自動的に再現される。また、再生装置を変えても、ミキシング情報は媒体に記録されているため、再設定の必要がなく、簡単に同期再生を楽しむことが可能である。また、後述する多重記録再生装置を使用し、同期再生中にミキシング条件を変更することも、変更後のミキシング条件を新たなミキシング情報としてＲＡＭ部に記録することも可能になる。
図６は、本発明における多重記録媒体の別の実施の一形態を示す図である。媒体としてコンカレントＲＯＭ／ＲＡＭ媒体を使用する。図４の実施の形態においては、コンテンツ毎にＴＯＣ領域が設けられているが、すべてのコンテンツのＴＯＣ情報が記録媒体の最内周に設けられたＴＯＣ領域に記録される例である。
ＴＯＣ領域６１は、データ領域６２と異なり、音楽コンテンツは記録されない。コンカレントＲＯＭ／ＲＡＭ媒体であるため、ＴＯＣ領域６１には、位相ピットによりＲＯＭ情報が記録されたＲＯＭ部と、磁気記録層にＲＡＭ情報が記録されるＲＡＭ部が存在する。
ＴＯＣ領域６１のＲＯＭ部には、データ領域６２のＲＯＭ部に記録されたコンテンツのＴＯＣ情報が、そしてＴＯＣ領域６１のＲＡＭ部には、データ領域６２のＲＡＭ部に記録されたコンテンツのＴＯＣ情報が記録される。
図７は、ＴＯＣ領域に記録されるのデータ形式の一例を示す図である。図７Ａは、ＴＯＣ領域６１のＲＯＭ部のデータ形式の一例である。データ領域６２のＲＯＭ部に記録された曲数７ａ１、コンテンツアドレス７ａ２、曲名７ａ３、演奏時間７ａ４を含む。図７Ｂは、ＴＯＣ領域６１のＲＡＭ部のデータ形式の一例である。データ領域６２のＲＡＭ部に記録された曲数７ｂ１、コンテンツアドレス７ｂ２、曲名７ｂ３、演奏時間７ｂ４、ミキシング情報７ｂ５を含む。ミキシング情報７ｂ５のデータ形式は、例えば、図５のミキシング情報５４が該当する。
図６、７のように、ミキシング情報を含むＴＯＣ領域を記録媒体の最内周に配置することによって、コンカレントＲＯＭ／ＲＡＭ媒体の特長を活かし、ＲＯＭ部とＲＡＭ部のコンテンツに関するＴＯＣ情報を同時に読み取ることが可能であり、装置としての動作速度が向上する。
また、コンテンツを同期再生する際のミキシング情報を媒体上に記録することによって、記録媒体を再生装置にセットするだけで、最適な設定が自動的に再現される。また、再生装置を変えても、ミキシング情報は媒体に記録されているため、再設定の必要がなく、簡単に同期再生を楽しむことが可能である。また、後述する多重記録再生装置を使用し、同期再生中にミキシング条件を変更することも、変更後のミキシング条件を新たなミキシング情報としてＲＡＭ部に記録することも可能になる。
なお、図６においては、ＴＯＣ領域６１が記録媒体の最内周に配置されているが、例えば、最外周に配置することも可能である。
図８は、本発明における多重記録媒体の別の実施の一形態を示す図である。媒体としてコンカレントＲＯＭ／ＲＡＭ媒体を使用する。ＲＯＭ部が２つ以上のサブ領域に分割され、各サブ領域のコンテンツを同期再生する際のミキシング情報が、ＲＡＭ部に記録される例である。
図８では、２つのサブ領域に分割され、サブ領域８１に第１のコンテンツが、サブ領域８２に第２のコンテンツが記録され、第１および第２のコンテンツが同期再生される際のミキシング情報がＲＯＭ部に重畳するＲＡＭ部（図示せず）に記録される。ＲＡＭ部に記録されるミキシング情報のデータ形式は、例えば、図５のミキシング情報５４と同じである。
図８により、複数音源のミキシングが可能となる。即ち、第１のコンテンツは、ドラムとベースのみ、第２のコンテンツは、ギターあるいかコーラスを記録することで、ユーザがミキシング対象を自由に選択可能である。
図９は、本発明における多重記録媒体の別の実施の一形態を示す図である。記録媒体上に、ＲＯＭ部とＲＡＭ部を有するが、重畳配置とはなっていない記録媒体を使用する例である。
図９では、ＲＯＭ領域９１に第１のコンテンツが、ＲＡＭ領域９２に第２のコンテンツが記録され、第１および第２のコンテンツを同期再生する際に使用されるミキシング情報がＲＡＭ領域９２に記録される。ＲＡＭ領域９２のデータ形式としては、例えば、図５のようになっている。
図９のように、コンテンツを同期再生する際のミキシング情報を媒体上に記録することによって、記録媒体を再生装置にセットするたけで、最適な設定が自動的に再現される。また、再生装置を変えても、ミキシング情報は媒体に記録されているため、再設定の必要がなく、簡単に同期再生を楽しむことが可能である。また、後述する多重記録再生装置を使用し、同期再生中にミキシング条件を変更することも、変更後のミキシング条件を新たなミキシング情報としてＲＡＭ部に記録することも可能になる。
図１０は、本発明における多重記録媒体の別の実施の一形態を示す図である。記録媒体上に、ＲＯＭ部とＲＡＭ部を有するが、重畳配置とはなっていない記録媒体を使用する別の例である。
図１０では、ＲＯＭ領域とＲＡＭ領域を半径方向に分割した図９と異なり、ＲＯＭ領域１０１とＲＡＭ領域１０２が周方向に分割されている。ＲＯＭ領域１０１に第１のコンテンツが、ＲＡＭ領域１０２に第２のコンテンツが記録され、第１および第２のコンテンツを同期再生する際に使用されるミキシング情報がＲＡＭ領域１０２に記録される。ＲＡＭ領域１０２のデータ形式としては、例えば、図５のようになっている。
図１０のように、コンテンツを同期再生する際のミキシング情報を媒体上に記録することによって、記録媒体を再生装置にセットするだけで、最適な設定が自動的に再現される。また、再生装置を変えても、ミキシング情報は媒体に記録されているため、再設定の必要がなく、簡単に同期再生を楽しむことが可能である。また、後述する多重記録再生装置を使用し、同期再生中にミキシング条件を変更することも、変更後のミキシング条件を新たなミキシング情報としてＲＡＭ部に記録することも可能になる。
続いて、本発明の多重記録再生装置２Ａについて説明する。
［多重記録再生装置］
図１１は、多重記録再生装置２Ａの構成例を示す図である。ここでは、多重記録媒体２Ｂとして、図６のコンカレントＲＯＭ／ＲＡＭ媒体を使用するものとする。データ形式の例として、図５のミキシング情報５４と図７を適用する。同記再生時のミキシング条件の変更を例に挙げて説明する。コンカレントＲＯＭ／ＲＡＭ媒体をセットし、コンテンツ選択手段１１１により、ＲＯＭ部に記録されたコンテンツ（曲）を選択すると、選択された曲に対応するＲＡＭ部のコンテンツが同期再生され、その際ＲＡＭ部に記録されたミキシング情報７ｂ５を基に、出力レベル比等が調整される。
次に、録音した後に、再生しながらミキシングを行う方法例を詳しく説明する。多重記録媒体を多重記録再生装置２Ａに挿入したとき、装置は最初にＴＯＣ領域６１を読み出し、各コンテンツの位置７ｂ２、ミキシング情報７ｂ５等を読み出し、後述するＴＯＣメモリに保持する。ここでは、例として、コンテンツ選択手段１１１により、ｋ番目の曲を選曲したとする。
多重記録再生装置２Ａは、ＴＯＣメモリに記録されたミキシング情報７ｂ５にしたがって、ｋ番目の曲を再生する。ここでＴＯＣメモリに記録された波形特性情報５４Ｃに従ってＲＯＭ部に記録された第１のコンテンツとＲＡＭ部に記録された第２のコンテンツのイコライザを設定し、音質が調整される。また、出力レベル比情報５４Ｂに従って音量比調整器により音量比が調整される。
ＲＯＭとＲＡＭの信号は、合成された後にＤ／Ａ変換機によりアナログ信号に変換されスピーカから出力される。ユーザはそれを聞きながら、ＲＡＭ音量調整手段１１３、ＲＯＭ音量調整手段１１４、ＲＡＭ音質調整手段１１５、ＲＯＭ音質調整手段１１６など（以後ミキシング条件ボタンと呼ぶ）を手動で操作し、好みの条件に調整する。さらに、決定ボタン１１７を押すことによりＴＯＣメモリに新しいミキシング条件が記録される。ＴＯＣメモリに記録された新しいミキシング条件は、曲の再生終了時に多重記録媒体２ＢのＴＯＣ領域６１に更新情報として記録される。
こうして、次回の再生時には、新しいミキシング条件を適用し、同期再生を行うことが可能となり、ユーザは自分の好みに合わせた音質調整を行うことが可能となる。新しいミキシング条件は、ＲＡＭ部において、上書きされるか、好ましくは、追記され、同期再生時に複数のミキシング条件が存在する場合、適用するミキシング条件を選択できるとよい。
次に曲の途中でミキシング条件を変更する形態について説明する。同期再生中に、ミキシング条件ボタンをユーザの好みの条件に調整し、決定ボタン１１７を押した際に、音量、音質に加え、タイミング情報５４ＤをＴＯＣメモリに書き込む。タイミング情報は、同期再生開始からの時間情報やコンテンツが記録された絶対アドレス情報などである。曲が終了した時点でＲＡＭの音量、音質に加えて、タイミング情報がミキシング情報としてＴＯＣ領域６１に書き込まれる。
次回再生時には、更新されたミキシング情報５４Ｄを基に同期再生することにより、設定されたタイミングでミキシング条件が変更され、最適なミキシング条件で音楽を再生することが可能となる。このような方法により、例えば、ギターのリズム演奏部分では、ＲＡＭ音量を小さく設定し、ボーカルが一旦中断したギター間奏部分ではＲＡＭ音量を大きく設定することが可能となる。
録音開始ボタン１１８は、演奏者が多重録音を開始する際に使用する。ＲＯＭ部にコンテンツが記録された多重記録媒体２Ｂを挿入し、このボタンを押せば、ＲＯＭ部のコンテンツの再生が開始されると共に、それを聞きながら演奏される楽器の入力信号をＲＡＭ部に記録することが可能である。
ミキシングモード切替手段１１２は、ミキシングモードを切り替えるのに使用される。例えば、モード０は通常再生モード、モード１はＲＡＭ音量調整手段１１３などのミキシング条件ボタンを有効にするモード、モード２はタイミング情報の更新を可能にするモードなどと複数の条件を設定し、その条件の切り替えにミキシングモード切替手段が使用される。
図１２は、多重記録再生装置の構成例を示すブロック図である。図１２に示すようにモータ１２１は、多重記録媒体２Ｂを回転する。通常、多重情報記録媒体２Ｂは、リムーバブルな媒体であり、図示しないドライブの挿入口から挿入される。光ピックアップ１２２は、この多重記録媒体を挟むように配置された磁気ヘッド１２３と光学ヘッドとを有する。光ピックアップ１２２はボールネジ送り機構等のトラックアクチュエータ（図示せず）により移動し、多重記録媒体２Ｂの半径方向の任意の位置へアクセスが可能である。また、光学ヘッドのレーザダイオードＬＤを駆動するＬＤドライバ１２４と、光ピックアップ１２２の磁気ヘッド１２３を駆動する磁気ヘッドドライバ１２５とが設けられる。
メインコントローラ１２６は、それぞれ図１４または図１５にて後述するアクセス用サーボコントローラとコントローラ等で構成される。アクセス用サーボコントローラは、光学ヘッドからの出力により、トラックアクチュエータと、モータ１２１と、光学ヘッドのフォーカスアクチュエータ１２７をサーボ制御する。コントローラは、ＬＤドライバ１２４、磁気ヘッドドライバ１２５、アクセス用サーボコントローラを稼動させて、情報の記録再生を行う。
光学ヘッドの詳細を、図１２で説明する。レーザダイオードＬＤからの拡散光は、コリメータレンズ１２８で平行光となり、偏光ビームスプリッタ１２９を介して、対物レンズ１３０により多重情報記録媒体２Ｂ上にほぼ回折限界まで集光される。
この偏光ビームスプリッタ１２９に入射する光の一部は、偏光ビームスプリッタ１２９により反射され、集光レンズ１３１を介してＡＰＣ（Ａｕｔｏ  Ｐｏｗｅｒ  Ｃｏｎｔｒｏｌ）ディテクタ１３２に集光される。
又、多重情報記録媒体２Ｂに反射された光は、再び対物レンズ１３０を介し、ビームスプリッタ１２９に再度入射する。ビームスプリッタ１２９に再度入射した光の一部は、レーザダイオードＬＤ側に戻り、残りの光は、ビームスプリッタ１２９により反射され、偏光ビームスプリッタ１３３に入射する。
偏光ビームスプリッタ１３３に入射された光の一部は、２ビームウォラストンプリズム１３４、集光レンズ１３５を介し２分割ディテクタ１３６に集光される。又、偏光ビームスプリッタ１３３に入射された光の他の部分は、集光レンズ１３７、円筒面レンズ１３８を介して、サーボ検出用４分割ディテクタ１３９上に集光される。
ＦＥＳ（Ｆｏｃｕｓ  Ｅｒｒｏｒ  Ｓｉｇｎａｌ）再生回路１４０は、光電変換された４分割フォトディテクタ１３９の出力Ａ、Ｂ、Ｃ、Ｄにより、非点収差法によるフォーカスエラー検出（ＦＥＳ）を行う。即ち、
ＦＥＳ＝（Ａ＋Ｂ）−（Ｃ＋Ｄ）／（Ａ＋Ｂ＋Ｃ＋Ｄ）
同時に、プッシュプル法によるＴＥＳ生成回路１４１で、４分割ディテクタ１３９の出力から、トラックエラー検出（ＴＥＳ）を行う。
これらの計算により求められたフォーカスエラー信号（ＦＥＳ）及びトラックエラー信号（ＴＥＳ）は、フォーカス方向及びトラック方向の位置誤差信号として、メインコントローラ１２６（詳細には、アクセス用サーボコントローラ）に入力される。
一方、記録情報検出系において、多重記録媒体２Ｂ上の光磁気記録の磁化の向きによって変わる反射レーザ光の偏光特性が、光強度に変換される。すなわち、２ビームウォラストンプリズム１３４において、偏光検波により偏光方向が互いに直交する二つのビームに分離し、集光レンズ１３５を通して２分割フォトディテクタ１３６に入射し、それぞれ光電変換される。
二分割フォトディテクタ１３６で光電変換された２つの電気信号Ｇ、Ｈは、アンプ１４２、１４３で増幅された後、加算アンプ１４４で加算され、第１のＲＯＭ信号（ＲＯＭ１＝Ｇ＋Ｈ）となり、同時に、減算アンプ１４５で減算され、ＲＡＭ読み出し（ＭＯ）信号（ＲＡＭ＝Ｇ−Ｈ）となり、それぞれメインコントローラ１２６に入力される。
又、メインコントローラ１２６には、ＡＰＣ用フォトディテクタ１３２に入射した半導体レーザダイオードＬＤの反射光が光電変換され、アンプ１４６を通して第２のＲＯＭ信号（ＲＯＭ２）として入力する。
さらに、先に説明したように、メインコントローラ１２６には、加算アンプ１４４の出力である第１のＲＯＭ信号（ＲＯＭ１）、差動アンプ１４５の出力であるＲＡＭ信号（ＲＡＭ）、ＦＥＳ生成回路１４０からのフォーカスエラー信号（ＦＥＳ）、ＴＥＳ生成回路１４１からのトラックエラー信号（ＴＥＳ）が入力する。
また、メインコントローラ１２６には、データソース１４７との間でインタフェース回路１４８を通して記録用データ及び読み出しデータが入出力される。
メインコントローラ１２６に入力される第１のＲＯＭ信号（ＲＯＭ１＝Ｇ＋Ｈ）、第２のＲＯＭ信号（ＲＯＭ２＝Ｉ）及び、ＲＡＭ信号（ＲＡＭ＝Ｇ−Ｈ）は、各モード即ち、ＲＯＭ及びＲＡＭ同時再生時、ＲＯＭ再生及びＲＡＭ同時記録（ＷＲＩＴＥ）時に呼応して検出し使用される。
図１３は、各モードでの上記ＲＯＭ１信号（＝Ｇ＋Ｈ）、ＲＯＭ２信号（＝Ｉ）及び、ＲＡＭ信号（＝Ｇ−Ｈ）の検出の組み合わせを示す図である。メインコントローラ１２６は、各モードに応じて、ＬＤドライバ１２４にコマンド信号を生成する。ＬＤドライバ１２４は、コマンド信号に従い、ＲＯＭ及びＲＡＭ再生時には、第１のＲＯＭ信号（ＲＯＭ１＝Ｇ＋Ｈ）に応じて、半導体レーザダイオードＬＤの発光パワーを負帰還制御し、ＲＯＭ再生およびＲＡＭ記録時には、第２のＲＯＭ信号（ＲＯＭ２＝Ｉ）に応じて半導体レーザダイオードＬＤの発光パワーを負帰還制御する。
光磁気（ＲＡＭ）記録時は、データソース１４７からのデータがインタフェース１４８を通してメインコントローラ１２６に入力される。メインコントローラ１２６は、磁界変調記録方式を用いる場合に、この入力データを、磁気ヘッドドライバ１２５に供給する。磁気ヘッドドライバ１２５は、磁気ヘッド１２３を駆動し、記録データに対応して磁界を変調する。
この際、メインコントローラ１２６において、記録時を指示する信号がＬＤドライバ１２４に送られ、ＬＤドライバ１２４は第２のＲＯＭ信号（ＲＯＭ２＝Ｉ）に応じて、記録に最適なレーザパワーとなるように半導体レーザダイオードＬＤの発光を負帰還制御する。
又、光変調記録方式を用いる場合に、この入力データを、ＬＤドライバ１２４に送り、レーザダイオードＬＤを光変調駆動する。この際、メインコントローラ１２６において、記録時を指示する信号がＬＤドライバに送られ、ＬＤドライバ１２４は第２のＲＯＭ信号（ＲＯＭ２＝Ｉ）に応じて、記録に最適なレーザパワーになるように半導体レーザダイオードＬＤの発光を負帰還制御する。
又、メインコントローラ１２６（詳細には、そのサーボコントローラ）は、検出したフォーカスエラー信号ＦＥＳに応じて、フォーカスアクチュエータ１２７を駆動し、光ビームを合焦点制御する。メインコントローラ１２６（詳細にはそのサーボコントローラ）は、検出したトラックエラー信号ＴＥＳに応じて、トラックアクチュエータを駆動し、光ビームをシーク及びトラック追従制御する。
ここで、レーザパワーの調整には、ディテクタ１３６のＧ＋Ｈ（ＲＯＭ１）またはディテクタ１３２のＩ（ＲＯＭ２）の信号を用いる。図１３に示すように、ＲＯＭ信号とＲＡＭ信号を同時に再生する場合には、ＲＡＭ読み出し信号（＝Ｇ−Ｈ）が、多重記録媒体２Ｂの位相ピット変調からのクロストークを受けないように、Ｇ＋Ｈの信号が一定となるようにレーザパワーを制御する。光変調記録時には、ＲＯＭの検出は行わない。
図１２および図１３に示した多重記録再生装置２Ａは、ＲＯＭ及びＲＡＭの情報を読み出す光ピックアップとＲＡＭに情報を記録するための磁気ヘッドが備えられた構成を持つ。この構成では、ＲＯＭを再生しながらＲＡＭ信号を再生することができる。
又、ＲＯＭ１信号をレーザー駆動部に負帰還させることにより、記録媒体のＲＯＭ部の凹凸によるＲＡＭ信号への強度変調ノイズを低減できるため、ＲＡＭ信号が正確に検出できる。このとき、ＲＯＭ信号は、ＲＯＭ２より検知できる。光ピックアップはボールネジの送り機構によるシーク機構により記憶媒体の任意の半径位置にアクセスできる。このため、ＲＯＭに記録されたコンテンツおよびＲＡＭに記録されたコンテンツへ、任意にアクセスできる。また、ボールネジの送り機構の他に、ボイスコイルモータ（ＶＣＭ：Ｖｏｉｃｅ  Ｃｏｉｌ  Ｍｏｔｏｒ）方式や、モータとギアを使用するラックピニオン方式等が採用されることも可能である。
図１４は、図１２のメインコントローラ１２６の実施の一形態を示すブロック図である。多重記録媒体２Ｂとして、先に述べた図４、６、８等のコンカレントＲＯＭ／ＲＡＭ媒体を使用し、同時再生する際に適用可能な多重記録再生装置２Ａのメインコントローラの例である。
メインコントローラ１２６に、アンプ１４６を通して第２のＲＯＭ信号（ＲＯＭ２）と、加算アンプ１４４の出力である第１のＲＯＭ信号（ＲＯＭ１）、差動アンプ１４５の出力であるＲＡＭ信号（ＲＡＭ）、ＦＥＳ生成回路１４０からのフォーカスエラー信号（ＦＥＳ）、ＴＥＳ生成回路１４１からのトラックエラー信号（ＴＥＳ）とが入力する。
また、データソース１４７との間でＡ／Ｄ変換器を含むインタフェース回路１４８を通して、デジタルオーディオ信号に変換された記録用データが入力される。
メインコントローラ１２６において、ＲＯＭ情報とＲＡＭ情報の同時再生時のＲＡＭ情報である差動アンプ１４５の出力は、同期検出回路２０１に同期検出され、復調器２０２でＮＲＺＩ変調等に対応した復調が行われ、復号器２０３により復号され、デジタルオーディオのＲＡＭ信号として出力される。
一方、ＲＯＭ／ＲＡＭ同時再生では、ＲＯＭ信号はＲＯＭ２を利用する。ＲＯＭ２信号も、ＲＡＭ信号と同様に、同期検出回路２０４で同期検出され、復調器２０５と復号器２０３により、デジタルオーディオ信号に変換され、ＲＯＭデータとして出力される。
ここで、ＲＡＭ信号は、時間的に遅れて出力されるので、図示しない遅延器により必要に応じてＲＯＭ信号の時間遅れの調整を行う。この遅れ時間は、ユーザが任意に調整しても構わない。また、ＲＡＭ信号も同様に、遅延器で必要に応じ時間遅延する。
出力されたＲＯＭ信号とＲＡＭ信号は、それぞれイコライザ（音質調整器）２０６、２０７、音量調整器２０８に入力され、ＴＯＣメモリ２０９に記録されたミキシング情報に基づきミキシングコントローラ２１０によりミキシングされる。また、設定つまみ等を備えたミキシング条件入力部２１１からの入力がミキシング情報としてＴＯＣメモリに記録され、該入力されたミキシング情報に基づいた制御が行われてもよい。
その後に、Ｄ／Ａ変換器２１２により、アナログ信号に変換され、スピーカ、ヘッドフォン３１等へ音楽として出力される。このようにして、ＲＯＭのコンテンツとＲＡＭのコンテンツが同期再生され、合成出力される。
次にＲＯＭ再生、ＲＡＭ記録時においては、図１３に示すように、ＲＯＭ１信号を再生ＲＯＭ信号として使用する。スイッチＳＷ２の切り換えで、ＲＯＭ１信号が、ローパスフィルタ２１３を介し、同期検出回路２０４で同期検出され、復調器２０５と復号器２０３により、デジタルオーディオ信号に変換され、ＲＯＭデータとして出力される。そして、ＲＯＭデータは、Ｄ／Ａ変換器２１２によって、アナログ音楽信号に変換された後に、スピーカ３Ａ等へと音楽として出力される。
この音楽を聴きながら、ＲＡＭへギター等の音楽、音声を記録するため、先ず、前述した録音開始ボタン１１８により入力スイッチ２１４がオンになる。これにより、ギター１Ａ、マイク１Ｂ、ピアノ１Ｃから出力されたアナログ信号が、Ａ／Ｄ変換器２１５によりデジタル信号に変換され、符号器／変調器２１６によりエラー訂正の符号化等が行われた後に、ＥＦＭ、ＮＲＺＩ等の信号に変換される。
その後、磁気ヘッドコントローラ２１７が磁気ヘッド１２３を駆動し、変換された情報が多重記録媒体２ＢのＲＡＭ部に記録される。また、新たなミキシング情報が入力された場合、曲の再生後、ＴＯＣメモリ２０９に記録された情報が、多重記録媒体２ＢのＲＡＭ部に記録される。
図１２、１３、および１４の多重記録再生装置２Ａにより、複数コンテンツを、ＲＡＭ部に記録されたミキシング情報に従って同期再生し、また、同期再生中に入力された情報を新たなミキシング情報と設定することが可能である。
図１１に描かれた音質調整手段に対応し、図１４において、イコライザ２０６、２０７が描かれているが、他にフィルタ、入力信号の振幅に応じて入出力振幅特性を変更するコンプレッサリミッタ、所定のレベル以下の信号をカットするノイズゲート、エキスパンダ、信号を遅らせることで音に厚みを持たせる効果を得るためのデジタルディレイ、または残響効果を得るためのデジタルリバーブ等のエフェクタ（音色加工機器）に置き換えることも可能である。
図１５は、図１２のメインコントローラ１２６の別の実施の一形態を示すブロック図である。多重記録媒体２Ｂとして、コンカレントＲＯＭ／ＲＡＭ媒体以外の媒体として先に示した図９、１０等の媒体を使用し、同時再生する際に適用可能な多重記録再生装置２Ａのメインコントローラの例である。
図１５のメインコントローラ１２６は、図１４と異なりバッファメモリを備える。バッファメモリに複数コンテンツを一時的に格納することにより、複数コンテンツを、ＲＡＭ部に記録されたミキシング情報に従って同期再生し、また、同期再生中に入力された情報を新たなミキシング情報と設定することが可能である。図１５に適用する多重記録媒体の一例として、図１０を参照して説明する。図１０の領域１０１に第１のコンテンツが、領域１０２に第２のコンテンツが記録されているとする。
多重記録再生装置に挿入された図１０の多重記録媒体からコンテンツが読み出され、復調器２０５を経て、復号器２０３に送信される。この読み出しは、再生時のビットレートよりも高いビットレートで行われる。バッファコントローラ２２２は復号器２０３での受信に応じて、第１、第２のコンテンツをそれぞれバッファメモリ２２０、２２１に一時的に蓄積する。
これは、データが重畳記録されたコンカレントＲＯＭ／ＲＡＭ媒体とは異なり、複数コンテンツの読み出しに伴う時間差をバッファメモリ２２０、２２１を使用し調整するためである。バッファメモリ２２０、２２１に蓄積されたコンテンツは、読み出し時のビットレートよりも低いビットレートで、それぞれイコライザ２０６、２０７に出力され、その後のミキシング処理は図１４と同様であり、説明を省略する。
図１２、１３および１５により、多重記録媒体としてコンカレントＲＯＭ／ＲＡＭを使用しなくても、複数コンテンツを、ＲＡＭ部に記録されたミキシング情報に従って同期再生し、また、同期再生中に入力された情報を新たなミキシング情報と設定することが可能である。
図１１に描かれた音質調整手段に対応し、図１５において、イコライザ２０６、２０７が描かれているが、他にフィルタ、入力信号の振幅に応じて入出力振幅特性を変更するコンプレッサリミッタ、所定のレベル以下の信号をカットするノイズゲート、エキスパンダ、信号を遅らせることで音に厚みを持たせる効果を得るためのデジタルディレイ、または残響効果を得るためのデジタルリバーブ等のエフェクタ（音色加工機器）に置き換えることも可能である。
以上本発明の実施の形態における多重記録再生装置を多重記録されたコンテンツの同期再生を目的として説明をしたが、多重記録されていない通常のコンテンツ再生を行うことも可能である。
【産業上の利用可能性】  以上説明したように本発明によれば、コンテンツを同期再生する際のミキシング情報を媒体上に記録することによって、記録媒体を再生装置にセットするだけで、最適な設定が自動的に再現される。また、再生装置を変えても、ミキシング情報は媒体に記録されているため、再設定の必要がなく、簡単に同期再生を楽しむことが可能である。また、多重記録再生装置を使用し、同期再生中にミキシング条件を変更することも、変更後のミキシング条件を新たなミキシング情報としてＲＡＭ部に記録することも可能になる。
これにより、一部の専門家に限られていたバーチャルセッション機能と多重録音機能とを手軽に安価に実現することが可能となる。
【図１】
2004051657.tif 000003
【図２】
2004051657.tif 000004
【図３】
2004051657.tif 000005
【図４】
2004051657.tif 000006
【図５】
2004051657.tif 000007
【図６】
2004051657.tif 000008
【図７】
2004051657.tif 000009
【図８】
2004051657.tif 000010
【図９】
2004051657.tif 000011
【図１０】
2004051657.tif 000012
【図１１】
2004051657.tif 000013
【図１２】
2004051657.tif 000014
【図１３】
2004051657.tif 000015
【図１４】
2004051657.tif 000016
【図１５】
2004051657.tif 000017
【国際調査報告】
2004051657.tif 000018
2004051657.tif 000019
2004051657.tif 000020
2004051657.tif 000021